(57)【要約】【課題】トンネル内の車道及び壁面を照明することができ、かつ、寸法の増大が抑制された照明器具を提供する。【解決手段】トンネル２００内に配置される照明器具１であって、トンネル２００は、対向する第１の壁面２３１及び第２の壁面２３２と、第１の壁面２３１及び第２の壁面２３２の間に設けられた車道２１０と、第１の壁面２３１及び車道２１０の間に設けられた側道２２１と、を備え、照明器具１は、車道２１０の横断方向中央に対して、第２の壁面２３２側の所定位置に配置された場合に、車道２１０の車線軸と交差する平面内において、第１のピーク６１及び第２のピーク６２を有する配光曲線を有し、第１のピーク６１に対応する光は、車道２１０の横断方向中央付近に照射され、第２のピーク６２に対応する光は、第１の壁面２３１に照射され、照明器具１から側道２２１へ向かう光の光度は、第１のピーク６１における光度より低い。【選択図】図４
2016122535.tif 000002
【特許請求の範囲】
【請求項１】
トンネル内に配置される照明器具であって、
前記トンネルは、対向する第１の壁面及び第２の壁面と、前記第１の壁面及び前記第２の壁面の間に設けられた車道と、前記第１の壁面及び前記車道の間に設けられた側道と、を備え、
前記照明器具は、前記車道の横断方向中央に対して、前記第２の壁面側の所定位置に配置された場合に、前記車道の車線軸と交差する平面内において、第１のピーク及び第２のピークを有する配光曲線を有し、
前記第１のピークに対応する光は、前記車道の横断方向中央付近に照射され、
前記第２のピークに対応する光は、前記第１の壁面に照射され、
前記照明器具から前記側道へ向かう光の光度は、前記第１のピークにおける光度より低い
照明器具。
【請求項２】
前記第２のピークは前記第１のピークより光度が高い
請求項１に記載の照明器具。
【請求項３】
前記第２のピークは前記第１のピークより配光角が狭い
請求項１又は２に記載の照明器具。
【請求項４】
前記第２のピークに対応する光は、前記第１の壁面に直接照射される
請求項１〜３のいずれか１項に記載の照明器具。
【請求項５】
前記第２のピークに対応する光は、前記車道に照射され、当該光の前記車道による反射光が前記第１の壁面に照射される
請求項１〜４のいずれか１項に記載の照明器具。
【請求項６】
前記照明器具は、前記トンネルの入口部に配置される
請求項１〜５のいずれか１項に記載の照明器具。
【請求項７】
前記照明器具は、光源と、前記光源からの光が入射され、前記配光曲線で光を出射する光学系とを備える
請求項１〜６のいずれか１項に記載の照明器具。
【請求項８】
前記光学系の光学特性は、前記光源からの光の光軸に対して非対称である
請求項７に記載の照明器具。
【請求項９】
前記光学系は、第１の全反射面及び第２の全反射面を有し、
前記第１の全反射面は、主に前記第１のピークの形成に寄与し、
前記第２の全反射面は、主に前記第２のピークの形成に寄与する
請求項７又は８に記載の照明器具。
【請求項１０】
前記第１の全反射面及び前記第２の全反射面は、互いに異なる形状を有する
請求項９に記載の照明器具。
【請求項１１】
前記第１の全反射面及び前記第２の全反射面は、前記光源からの光の光軸に対して非対称な位置に配置される
請求項９に記載の照明器具。
【発明の詳細な説明】
【技術分野】
【０００１】
本発明は、トンネル内に配置される照明器具に関する。
【背景技術】
【０００２】
車道を備えるトンネル内には、車道の路面に光を照射する照明器具が設けられる。当該照明器具は、電力効率を高めるために、高い照明率が求められる。ここで、照明率とは、照明器具から出射される全光束のうち、車道の路面に達する光束の割合である。したがって、当該照明器具は、車道の路面以外の部分への光の照射を低減できるような配光特性を有する必要がある。当該照明器具によって車道の路面が照明されることにより、トンネル内で自動車を走行させる運転者は、路面を視認することができるが、車道の路肩又は壁面（側壁）の下部及び車道端を把握し難い場合がある。そこで、トンネル内に設けられる照明器具において、車道を照明するための光源に加えて、壁面の下部などを照明する補助的な光源を設ける構成が提案されている（特許文献１）。当該構成により、運転者による壁面の下部の視認性を改善することができる。
【先行技術文献】
【特許文献】
【０００３】
【特許文献１】特開２００５−３１０５９９号公報
【発明の概要】
【発明が解決しようとする課題】
【０００４】
しかしながら、特許文献１に記載された照明器具においては、光源の個数が増加するため、構成が複雑となり、照明器具に要するコストも増加する。さらに、特許文献１に記載された照明器具においては、器具の寸法も大きくなる。
【０００５】
本発明は、上述の事情を鑑みてなされたものであり、トンネル内の車道及び壁面を照明することができ、かつ、寸法の増大が抑制された照明器具を提供することを目的とする。
【課題を解決するための手段】
【０００６】
上記目的を達成するために、本発明に係る照明器具の一態様は、トンネル内に配置される照明器具であって、トンネルは、対向する第１の壁面及び第２の壁面と、第１の壁面及び第２の壁面の間に設けられた車道と、第１の壁面及び車道の間に設けられた側道と、を備え、照明器具は、車道の横断方向中央に対して、第２の壁面側の所定位置に配置された場合に、車道の車線軸と交差する平面内において、第１のピーク及び第２のピークを有する配光曲線を有し、第１のピークに対応する光は、車道の横断方向中央付近に照射され、第２のピークに対応する光は、第１の壁面に照射され、照明器具から側道へ向かう光の光度は、第１のピークにおける光度より低い。
【発明の効果】
【０００７】
本発明によれば、トンネル内の車道及び壁面を照明することができ、かつ、寸法の増大が抑制された照明器具を提供することができる。
【図面の簡単な説明】
【０００８】
【図１】図１は、実施の形態１に係る照明器具の外観斜視図である。
【図２】図２は、実施の形態１に係る照明器具の分解斜視図である。
【図３】図３は、実施の形態１に係る照明器具の上面図である。
【図４】図４は、実施の形態１に係る照明器具の断面図である。
【図５】図５は、実施の形態１に係る照明器具の光学系の作用を示す図である。
【図６】図６は、実施の形態１に係る照明器具の配光特性を示す光度分布図である。
【図７】図７は、実施の形態１に係る照明器具が配置されたトンネルの断面図である。
【図８】図８は、実施の形態１に係る照明器具が配置されたトンネル内の車道及び側道の上面図である。
【図９】図９は、実施の形態１に係る照明器具が配置されたトンネルの断面図である。
【図１０】図１０は、実施の形態２に係る照明器具の光学系の作用を示す図である。
【発明を実施するための形態】
【０００９】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
（実施の形態１）
［１−１．全体構成］
まず、実施の形態１に係る照明器具１の全体構成について、図面を用いて説明する。
【００１２】
図１は、本実施の形態に係る照明器具１の外観斜視図である。
【００１３】
図２は、本実施の形態に係る照明器具１の分解斜視図である。
【００１４】
図３は、本実施の形態に係る照明器具１の上面図である。
【００１５】
図４は、本実施の形態に係る照明器具１の断面図である。図４においては、図３のＩＶ−ＩＶ断面の矢視図が示される。
【００１６】
図１〜４に示される照明器具１は、トンネル内に配置される照明器具である。
【００１７】
図２及び図４に示されるように、照明器具１は、筐体１１、カバー１２、枠体１３、光学系２０、光源３０、電源ボックス４０及びプレート５０を備える。
【００１８】
以下、照明器具１における各構成部材について詳細に説明する。
【００１９】
［１−１−１．筐体］
まず、筐体１１について説明する。
【００２０】
本実施の形態では、筐体１１は、内部に照明器具１の光源３０、電源ボックス４０などが設置される箱状の部材である。筐体１１を構成する材料は特に限定されない。当該材料として、例えば、金属材料を用いることができる。
【００２１】
筐体１１は、図１〜４のＹ軸プラス側に開口部が形成されており、当該開口部から光源３０などが、筐体１１の内部に設置される。また、筐体１１の内部に照明器具１の各構成部材が設置された後、筐体１１の開口部は、カバー１２で覆われる。また、図示されていないが、筐体１１には、外部から電源ケーブルを導入するための導入孔が設けられている。外部から当該導入孔を経由して導入された電源ケーブルが、筐体１１の内部に設置された電源ボックス４０に接続される。
【００２２】
［１−１−２．カバー］
次に、カバー１２について説明する。
【００２３】
カバー１２は、筐体１１の開口部を覆う透光性の部材である。筐体１１の開口部を透光性のカバー１２で覆うことにより、光源３０から出射された光を筐体１１の外部に出射することができる。カバー１２を構成する材料は、特に限定されない。当該材料として、例えば、透明なガラス、アクリルなどを用いることができる。なお、筐体１１内に水分などが侵入することを抑制するために、カバー１２と筐体１１との間にシール部材が設けられてもよい。
【００２４】
［１−１−３．枠体］
次に、枠体１３について説明する。
【００２５】
枠体１３は、カバー１２を筐体１１に固定するための環状の固定部材である。枠体１３は、図４に示されるようにカバー１２の周縁部に配置されて、筐体１１に対して固定される。枠体１３の固定態様は特に限定されない。枠体１３は、例えば、ネジなどの締結部材によって、筐体１１に対して締結されてよい。また、枠体１３は、接着剤によって、筐体１１に固定されてもよい。また、枠体１３を構成する材料は、特に限定されない。当該材料として、例えば、金属材料を用いることができる。
【００２６】
［１−１−４．光学系］
次に、光学系２０について説明する。
【００２７】
光学系２０は、光源３０からの光が入射され、所定の配光特性で光を出射する光学部材である。本実施の形態では、光学系２０は、光源３０からの光を受ける位置に配置され、プレート５０に固定される。光学系２０の光学特性は、光源３０からの光の光軸（図４に一点鎖線で示される光軸Ａ）に対して非対称である。これにより、光学系２０は、所定の配光特性で光を出射することができる。本実施の形態では、光学系２０は、第１の全反射面２１及び第２の全反射面２２を有し、第１の全反射面２１及び第２の全反射面２２は、互いに異なる形状を有する。なお、光学系２０の配光特性の詳細については後述する。
【００２８】
光学系２０を構成する材料は、特に限定されない。当該材料として、例えば、アルミニウムなどの金属材料を用いることができる。また、当該材料として、ポリブチレンテレフタレート（ＰＢＴ）など硬質の白色樹脂材料を用いてもよい。
【００２９】
［１−１−５．光源］
次に、光源３０について説明する。
【００３０】
光源３０は、照明器具１から出射される光を生成する発光部である。光源３０は、主に可視光を出射するが、可視光以外の光を出射してもよい。本実施の形態では、光源３０は、四つの発光モジュール３１ａ、３１ｂ、３１ｃ及び３１ｄから構成される。各発光モジュールは、例えば白色光を出射するように構成されている。各発光モジュールは、基台と、基台上に実装されたベアチップ（ＬＥＤ（Ｌｉｇｈｔ  Ｅｍｉｔｔｉｎｇ  Ｄｉｏｄｅ）チップ）である複数のＬＥＤと、それらＬＥＤを封止し、蛍光体を含む封止部材とを備える。なお、本実施の形態では、封止部材は全てのＬＥＤを一括封止しているが、封止部材の構成はこれに限られない。ライン状に配列されたＬＥＤの配列方向に沿って複数本のライン状に封止部材を形成する構成としてもよい。また、本実施の形態では、各発光モジュールの光軸（図４の光軸Ａ）は図１〜４のＹ軸方向に平行な方向であり、各発光モジュールは、光軸に対して実質的に対称な配光特性を有する。
【００３１】
光源３０の各発光モジュールが備える基台は、複数のＬＥＤを実装するための実装基板であって、例えばセラミックス基板、樹脂基板又は絶縁被覆されたメタルベース基板などである。また、当該基台の形状は、例えば、平面視において矩形形状である平面を有する板状であり、当該基台は、その底面（図１〜４のＹ軸マイナス側の面）がプレート５０に取り付けられて固定される。なお、図示しないが、基台には、ＬＥＤを発光させるための直流電力を外部から受電するための一対の電極端子（正電極端子及び負電極端子）が形成されている。
【００３２】
［１−１−６．電源ボックス］
次に、電源ボックス４０について説明する。
【００３３】
電源ボックス４０は、外部から電力供給を受けて、光源３０に直流電力を供給する電源回路が格納された箱状部材である。なお、外部から電源ボックス４０への電力供給、及び、電源ボックス４０から光源３０への電力供給は、配線等（図示せず）を介して行われる。電源ボックス４０を構成する材料は、特に限定されない。当該材料として、例えば、ＰＢＴなどの絶縁材料を用いることができる。
【００３４】
［１−１−７．プレート］
次に、プレート５０について説明する。
【００３５】
プレート５０は、筐体１１に固定される板状部材であり、光源３０、光学系２０及び電源ボックス４０が固定される。プレート５０は、熱伝導率の高い材料から構成され、光源３０及び電源ボックス４０のヒートシンクとしても機能する。プレート５０を構成する材料は、特に限定されない。当該材料として、例えば、アルミニウムなどの金属材料を用いることができる。
【００３６】
［１−２．配光特性］
次に、照明器具１の配光特性について図面を用いて説明する。
【００３７】
図５は、本実施の形態に係る照明器具１の光学系２０の作用を示す図である。図５には、Ｚ軸に垂直な平面内における光源３０からの光の光路と、光照射面での照度分布とが示されている。
【００３８】
図５に示されるように、光源３０からの光の一部は、光学系２０の影響を受けずに直進し、他の一部は、第１の全反射面２１又は第２の全反射面２２で反射する。ここで、第１の全反射面２１及び第２の全反射面２２は互いに異なる形状を有しているため、照明器具１の配光特性は、光源３０の光軸に対して非対称となる。本実施の形態では、図５に示されるように、照明器具１の照度分布には、比較的幅の広い第１のピーク７１と、比較的幅の狭い第２のピーク７２とが存在する。光学系２０の第１の全反射面２１で反射した光は、主に第１のピーク７１の形成に寄与し、第２の全反射面２２で反射した光は、主に第２のピーク７２の形成に寄与する。なお、図５のＸ軸に垂直な平面内においては、光源３０からの光の、光学系２０による影響は少ない。そのため、照明器具１は、図５のＸ軸に垂直な平面内において、光源３０の光軸上だけにピークを有する照度分布を有する。なお、ここで、光源３０のように複数の発光モジュール３１ａ〜３１ｄを備える光源の光軸は、これらの発光モジュール３１ａ〜３１ｄからの光を合成した光の軸として定義される。
【００３９】
以上で述べたような照明器具１の配光特性について光度分布図を用いて説明する。
【００４０】
図６は、本実施の形態に係る照明器具１の配光曲線を示す光度分布図である。図６には、図１〜５のＺ軸に垂直な平面内における配光特性が実線で、Ｘ軸に垂直な平面内における配光特性が破線で、それぞれ示されている。
【００４１】
図６に示されるように、照明器具１は、Ｚ軸に垂直な平面内において、配光角の比較的広い第１のピーク６１と配光角の比較的狭い第２のピーク６２とを有する配光曲線を有する。上記光度分布図における第１のピーク６１及び第２のピーク６２は、図５に示す照度分布の第１のピーク７１及び第２のピーク７２にそれぞれ対応する。一方、照明器具１は、Ｘ軸に垂直な平面内において、図６に示されるように、光源３０の光軸方向だけにピークを有する光度分布を有する。
【００４２】
［１−３．使用態様］
次に、照明器具１をトンネル内に配置する場合の使用態様について説明する。
【００４３】
［１−３−１．第１の使用態様］
まず、第１の使用態様について図面を用いて説明する。
【００４４】
図７は、本実施の形態に係る照明器具１が配置されたトンネル２００の断面図である。図７には、照明器具１の配光の概要も示されている。
【００４５】
図８は、本実施の形態に係る照明器具１が配置されたトンネル２００内の車道２１０及び側道２２１及び２２２の上面図である。図８には、照明器具１の配置も示されている。
【００４６】
図７及び図８に示されるように、トンネル２００は、対向する第１の壁面２３１及び第２の壁面２３２と、第１の壁面２３１及び第２の壁面２３２の間に設けられた車道２１０と、第１の壁面２３１及び車道２１０の間に設けられた側道２２１と、第２の壁面２３２及び車道２１０の間に設けられた側道２２２と、天井２４０とを備える。ここで、側道２２１及び２２２は、車道２１０と各壁面との間の部分を意味し、歩道、路肩などであってもよい。
【００４７】
また、図７及び図８に示されるように、トンネル２００内には、照明器具１、及び、照明器具１と同様の構成を有する照明器具１０１が配置される。なお、照明器具１及び１０１は、図７に示されるように車道２１０の横断方向（図７の左右方向及び図８の上下方向）に向かい合わせに配置されるが、必ずしも全ての照明器具１及び１０１が点灯されなくてもよい。例えば、向かい合わせに配置される照明器具１及び１０１の一方だけが、車線軸方向（図８の左右方向）に交互に点灯されてもよい。
【００４８】
照明器具１は、車道２１０の横断方向中央２１３に対して第２の壁面２３２側の所定位置に配置されている。より具体的には、照明器具１は、車道２１０の端部２１２の上方に配置されている。ここで、照明器具１の配置位置は、照明器具１の配光曲線及びトンネル２００の形状などに応じて、以下に述べるように車道２１０及び第１の壁面２３１を照明できるように決定されればよい。また、照明器具１の配置位置に応じて、照明器具１の配光曲線が決定されてもよい。本実施の形態では、照明器具１は、車道２１０の端部２１２の直上に配置される。すなわち、照明器具１は、車道２１０の幅員内へのオーバーハング（Ｏｈ：Ｏｖｅｒｈａｎｇ）がゼロとなるように配置される。なお、照明器具１のオーバーハングは、ゼロでなくてもよい。また、本実施の形態では、車道２１０の他方の端部２１１の上方に、照明器具１０１が配置される。以下、照明器具１について説明し、同様の構成を有する照明器具１０１の説明は省略する。なお、照明器具１及び１０１は、天井２４０に直接取り付けられてもよいし、天井２４０又は側道２２２に設けられた支持部材に取り付けられてもよい。
【００４９】
照明器具１は、図１〜５に示されるＺ軸がトンネル内の車道２１０の車線軸方向（車道２１０の長手方向）と平行になるように配置される。すなわち、照明器具１は、車道２１０の車線軸と交差する平面内において、図６に示される第１のピーク６１及び第２のピーク６２を有する配光曲線を有する。また、図７において実線矢印で示されるように、照明器具１の配光曲線の第１のピーク６１に対応する光が、車道２１０の横断方向中央２１３付近に照射される。なお、ここで、横断方向中央２１３付近とは、横断方向中央２１３からの距離が車道２１０の幅の１０％程度以下である領域を意味する。また、図７において破線矢印で示されるように、照明器具１の配光曲線の第２のピーク６２に対応する光が、第１の壁面２３１に照射される。
【００５０】
以上のように、照明器具１の配光曲線における第１のピーク６１に対応する光が車道２１０に照射される。ここで、第１のピーク６１は配光角が比較的広いため、車道２１０が高い路面均斉度で照明される。また、当該配光曲線における第２のピーク６２が、第１の壁面２３１に照射される。ここで、第２のピーク６２は、配光角が比較的狭いため、第２のピーク６２に対応する光によって、第１の壁面２３１を集中的に照明することができる。さらに、本実施の形態では、第２のピーク６２は、第１のピーク６１より光度が高い。このため、照明器具１によれば、車道２１０と同等（又はそれ以上）の照度で第１の壁面２３１を照明することができる。
【００５１】
また、本実施の形態に係る照明器具１から側道２２１へ向かう光の光度が、上記配光曲線の第１のピーク６１における光度より低い。つまり、照明される必要性の低い側道２２１へ向かう光束を抑制することによって、車道２１０及び第１の壁面２３１へ向かう光束の割合を増大させることができる。これにより、照明器具１から出射される光を効率よく利用することができる。したがって、照明器具１によれば、車道２１０を照明する光源３０の他に、第１の壁面２３１を照明する光源を別途設けることなく、車道２１０及び第１の壁面２３１を照明することができる。したがって、照明器具１の構成が複雑になることが抑制されるため、照明器具１の寸法の増大を抑制することができる。
【００５２】
なお、照明器具１０１を点灯する場合には、照明器具１０１によって、照明器具１と同様に、車道２１０及び第２の壁面２３２を照明することができる。照明器具１及び照明器具１０１を点灯することにより、第１の壁面２３１及び第２の壁面２３２の両方を照明でき、かつ、車道２１０の路面均斉度をさらに向上することができる。また、本実施の形態に係る照明器具１においては、光学系２０の光学特性を適宜調整することによって、車道２１０への配光及び第１の壁面２３１への配光を調整することができる。例えば、光学系２０の第１の全反射面２１及び第２の全反射面２２の形状を変えることによって、それぞれ、車道２１０への配光及び第１の壁面２３１への配光を調整することができる。
【００５３】
また、照明器具１は、トンネル２００の入口部に配置される場合、すなわち、入口部照明として用いられる場合に、特に有効である。入口部照明とは、日中、トンネル２００の入口付近で発生する視覚的問題（ブラックホール現象、ブラックフレーム現象及びブラックアウト現象）を解決するために設けられる照明である。照明器具１が入口部照明として特に有効な理由は以下のとおりである。トンネル２００の車線軸方向中央部においては、要求される照度（又は、路面輝度）が比較的低いため、広い配光特性を有する照明器具によって、車道２１０及び第１の壁面２３１を、要求される照度の光で照明することができる場合がある。しかしながら、トンネル２００の入口部においては、要求される照度が比較的高いため、単に広い配光特性を有するだけの照明器具では、十分な照度の光で車道２１０及び第１の壁面２３１を照明することは困難である。一方、本実施の形態に係る照明器具１によれば、車道２１０及び第１の壁面２３１を効率よく照明することができるため、トンネル２００の入口部照明としても利用可能な照度を確保することができる。
【００５４】
［１−３−２．第２の使用態様］
次に、第２の使用態様について図面を用いて説明する。
【００５５】
図９は、本実施の形態に係る照明器具１が配置されたトンネル２００の断面図である。図９には、照明器具１の配光の概要も示されている。
【００５６】
図９に示されるように、本使用態様は、照明器具１及び照明器具１０１のオーバーハングにおいて第１の使用態様と異なる。また、本使用態様においては、照明器具１の配光曲線における第２のピーク６２に対応する光を直接第１の壁面２３１に照射せずに、車道２１０に照射して、車道２１０における反射光を第１の壁面２３１に照射している点において、第１の使用態様と異なる。本使用態様は、車道２１０の路面における反射率が高い場合に採用できる。
【００５７】
本使用態様においても、照明器具１は、車道２１０及び第１の壁面２３１を照明することができる。また、側道２２１へ向かう光束を抑制することによって、車道２１０及び第１の壁面２３１へ向かう光束の割合を増大させることができる。
【００５８】
本使用態様は、照明器具１の配光曲線における第１のピーク６１及び第２のピーク６２の間の角度を大きく取れないことにより、第２のピークに対応する光を直接第１の壁面２３１に照射することができない場合に有効である。
【００５９】
［１−４．効果など］
以上のように、本実施の形態に係る照明器具１は、車道２１０の横断方向中央２１３に対して、第２の壁面２３２側の所定位置に配置され、かつ、車道２１０の車線軸と交差する平面内において、第１のピーク６１及び第２のピーク６２を有する配光曲線を有する。ここで、第１のピーク６１に対応する光は、車道２１０の横断方向中央２１３付近に照射され、第２のピーク６２に対応する光は、第１の壁面２３１に照射される。また、照明器具１から、側道２２１へ向かう光の光度は、第１のピーク６１における光度より低い。
【００６０】
これにより、照明器具１は、車道２１０及び第１の壁面２３１を照明することができる。さらに、照明器具１から側道２２１へ向かう光の光度が、第１のピーク６１における光度より低い。つまり、照明器具１では、照明される必要性の低い側道２２１へ向かう光束を抑制することによって、車道２１０及び第１の壁面２３１へ向かう光束の割合を増大させることができる。これにより、照明器具１から出射される光を効率よく利用することができる。したがって、照明器具１によれば、車道２１０を照明する光源３０の他に、第１の壁面２３１を照明する光源を別途設けることなく、車道２１０及び第１の壁面２３１を照明することができる。
【００６１】
また、照明器具１において、第２のピーク６２は第１のピーク６１より光度が高くてもよい。
【００６２】
これにより、照明器具１は、車道２１０と同等（又はそれ以上）の照度で第１の壁面２３１を照明することができる。
【００６３】
また、照明器具１において、第２のピーク６２は第１のピーク６１より配光角が狭くてもよい。
【００６４】
これにより、第２にピーク６２に対応する光によって、第１の壁面２３１を集中的に、すなわち、効率的に照明することができる。
【００６５】
また、照明器具１において、第２のピーク６２に対応する光は、第１の壁面２３１に直接照射されてもよい。
【００６６】
これにより、第２のピーク６２に対応する光のほぼ全てを第１の壁面２３１に照射することができる。したがって、第２のピーク６２に対応する光を効率的に利用することができる。
【００６７】
また、照明器具１において、第２のピーク６２に対応する光は、車道２１０に照射され、当該光の車道２１０による反射光が第１の壁面２３１に照射されてもよい。
【００６８】
これによれば、照明器具１の配光曲線における第１のピーク６１及び第２のピーク６２の間の角度を大きく取れないことにより、第２のピークに対応する光を直接第１の壁面２３１に照射することができない場合にも、第１の壁面２３１を照明することができる。
【００６９】
また、照明器具１は、トンネル２００の入口部に配置されてもよい。
【００７０】
このように、照明器具１は、トンネル２００において最も照度が要求される入口部に配置された場合にも、十分な照度で車道２１０及び第１の壁面２３１を照明することができる。
【００７１】
また、照明器具１は、光源３０と、光源３０からの光が入射され、上記配光曲線で光を出射する光学系２０とを備えてもよい。
【００７２】
また、照明器具１において、光学系２０の光学特性は、光源３０からの光の光軸に対して非対称であってもよい。
【００７３】
また、照明器具１において、光学系２０は、第１の全反射面２１及び第２の全反射面２２を有し、第１の全反射面２１は、主に第１のピーク６１の形成に寄与し、第２の全反射面２２は、主に第２のピーク６２の形成に寄与してもよい。
【００７４】
これにより、第１の全反射面２１及び第２の全反射面２２の反射特性を調整することにより、第１のピーク６１及び第２のピーク６２をそれぞれ調整することができる。
【００７５】
また、照明器具１において、第１の全反射面２１及び第２の全反射面２２は、互いに異なる形状を有してもよい。
【００７６】
（実施の形態２）
次に、実施の形態２に係る照明器具について説明する。本実施の形態は、光学系の構成において、上記実施の形態１に係る照明器具１と異なる。
【００７７】
以下、本実施の形態に係る照明器具の光学系の構成及び配光特性について図面を用いて説明する。
【００７８】
図１０は、本実施の形態に係る照明器具の光学系２０ａの作用を示す図である。図１０には、Ｚ軸に垂直な平面内における光源３０からの光の光路と、光照射面での照度分布とが示されている。
【００７９】
図１０に示されるように、本実施の形態に係る光学系２０ａは、ハイブリッドレンズから構成される。
【００８０】
本実施の形態においても、光学系２０ａの光学特性は、光源３０からの光の光軸に対して非対称である。本実施の形態では、光学系２０ａは、第１の全反射面２１ａ、第２の全反射面２２ａ及び屈折部２３ａを有し、第１の全反射面２１ａ及び第２の全反射面２２ａは、光源３０の光軸に対して非対称な位置に配置される。
【００８１】
光学系２０ａを構成する材料は、特に限定されない。当該材料として、例えば、アクリルなどの樹脂材料、ガラスなどを用いることができる。
【００８２】
図１０に示されるように、光源３０からの光の一部は、光学系２０ａの屈折部２３ａにおいて直進（又は屈折）し、他の一部は、第１の全反射面２１ａ又は第２の全反射面２２ａで反射する。ここで、第１の全反射面２１ａ及び第２の全反射面２２ａは光源３０の光軸に対して非対称な位置に配置されているため、本実施の形態に係る照明器具の配光特性は、光源３０の光軸に対して非対称となる。本実施の形態では、図１０に示されるように、照明器具の照度分布には、比較的幅の広い第１のピーク７１ａと、比較的幅の狭い第２のピーク７２ａとが存在する。光学系２０ａの第１の全反射面２１ａで反射した光は、主に第１のピーク７１ａの形成に寄与し、第２の全反射面２２ａで反射した光は、主に第２のピーク７２ａの形成に寄与する。なお、図１０のＸ軸に垂直な平面内においては、上記実施の形態１と同様に、光源３０の光軸方向だけにピークを有する照度分布を有する。また、本実施の形態では、光学系２０ａの屈折部２３ａの形状を変更することによって、照度分布の形状を調整することもできる。
【００８３】
以上のように本実施の形態に係る照明器具においても、上記実施の形態１に係る照明器具１と同様の照度分布を形成することができるため、上記実施の形態１と同様の配光曲線を形成することができる。
【００８４】
したがって、本実施の形態に係る照明器具においても、上記実施の形態１に係る照明器具１と同様の効果を得ることができる。
【００８５】
（変形例など）
以上、本発明に係る照明装置について、各実施の形態に基づいて説明したが、本発明は、上記各実施の形態に限定されない。
【００８６】
例えば、上記各実施の形態では、光源３０として、ＬＥＤ光源を用いる例を示したが、光源３０として、他の任意の光源を用いることができる。
【００８７】
例えば、上記実施の形態では、光源３０としてベアチップである複数のＬＥＤが基台に直接実装されたＣＯＢ（Ｃｈｉｐ  Ｏｎ  Ｂｏａｒｄ）型の発光モジュールを採用したが、他の固体発光素子を用いてもよい。例えば、光源３０として、表面実装（ＳＭＤ：Ｓｕｒｆａｃｅ  Ｍｏｕｎｔ  Ｄｅｖｉｃｅ）型ＬＥＤを基台に実装したＳＭＤ型の発光モジュールを用いてもよい。また、有機ＥＬ素子など他の固体発光素子を用いてもよい。
【００８８】
また、上記実施の形態においては、光源３０などは、プレート５０に設置されたが、直接筐体１１に設置されてもよい。この場合、筐体１１がヒートシンクとして機能してもよい。
【００８９】
その他、実施の形態に対して当業者が思いつく各種変形を施して得られる形態、又は、本発明の趣旨を逸脱しない範囲で実施の形態又は変形例における構成要素及び機能を任意に組み合わせることで実現される形態も本発明に含まれる。
【符号の説明】
【００９０】
１、１０１  照明器具
２０、２０ａ  光学系
２１、２１ａ  第１の全反射面
２２、２２ａ  第２の全反射面
３０  光源
６１、７１、７１ａ  第１のピーク
６２、７２、７２ａ  第２のピーク
２００  トンネル
２１０  車道
２１３  横断方向中央
２２１、２２２  側道
２３１  第１の壁面
２３２  第２の壁面
【図１】
2016122535.tif 000003
【図２】
2016122535.tif 000004
【図３】
2016122535.tif 000005
【図４】
2016122535.tif 000006
【図５】
2016122535.tif 000007
【図６】
2016122535.tif 000008
【図７】
2016122535.tif 000009
【図８】
2016122535.tif 000010
【図９】
2016122535.tif 000011
【図１０】
2016122535.tif 000012